(57)【要約】【課題】格子構造体の構成を簡単化して製造及び保管コストを低廉化するとともに、格子構造体を設置場所に応じた寸法に容易に組立て可能で、簡易に多数の格子板を平行配置して連結可能とし、延いては格子構造体を安価に提供する。【解決手段】連結部材６は雌ネジ６ａが形成された支柱部６Ａと、雄ネジ６ｂが形成された螺挿部６Ｂとを備える。各格子板４は複数の貫通孔４ａを備える。貫通孔４ａの一端側から連結部材６の螺挿部６Ｂを挿通して、螺挿部６Ｂの雄ネジ６ｂを貫通孔４ａの他端側に突出させ、雄ネジ６ｂに他の連結部材６′における支柱部６Ａ′の雌ネジ６ａ′を螺着し、これの繰り返しにより多数の格子板４を一定間隔で平行状態に連結する。【選択図】図３
2008175001.tif 000002
【特許請求の範囲】
【請求項１】
多数の長尺板状の格子板と、それらの各格子板を相互に一定間隔で平行状態に連結するための複数の連結部材とを備えた格子構造体であって、
上記連結部材は、その軸線方向の一端からその内部に雌ネジが形成された一定長さの支柱部と、該支柱部の軸線方向の他端から延設され、少なくともその先端部の周囲に上記雌ネジに螺挿可能な雄ネジが形成された螺挿部とを備え、
上記各格子板は、上記連結部材における螺挿部より大径で且つ上記支柱部より小径に形成した複数の貫通孔を備え、
上記格子板における貫通孔の一端側から連結部材の螺挿部を挿通して、該螺挿部の雄ネジを上記貫通孔の他端側に突出させるとともに、突出した雄ネジに他の連結部材における支柱部の雌ネジを螺着し、これを繰り返すことにより多数の格子板を一定間隔で平行状態に連結した、
ことを特徴とする格子構造体。
【請求項２】
上記格子板を板状発泡合成樹脂部材で構成した、
ことを特徴とする請求項１に記載の格子構造体。
【請求項３】
上記連結部材における螺挿部の先端に、当該連結部材を工具で螺着固定するための工具係止用の溝部を設けた、
ことを特徴とする請求項１または２に記載の格子構造体。
【請求項４】
複数の格子板の連結方向の一端の格子板を、該格子板における貫通孔の外側に位置する連結部材の雌ネジに、ボルト状エンド部材の雄ネジを螺挿することにより固定するとともに、格子板の連結方向の他端の格子板を、該格子板における貫通孔から突出する螺挿部の雄ネジに、ナット状エンド部材を螺着することにより固定した、
ことを特徴とする請求項１〜３のいずれかに記載の格子構造体。
【発明の詳細な説明】
【技術分野】
【０００１】
本発明は、例えば、窓等の建物開口部の外側に取り付けられる防犯、目隠し等のための面格子、フェンス、欄間、格子戸、あるいは門扉等に取り付けられる面格子のように、複数の格子板間を連結部材で連結することにより形成した格子構造体に関するものである。
【背景技術】
【０００２】
住宅設備における窓等の建物開口部の外側に取り付けられる防犯、目隠し等のための面格子、フェンス、欄間、格子戸あるいは門扉等に取り付けられる面格子などの格子構造体は、特に例示するまでもなく、従来より公知のものである。しかしながら、従来の格子構造体においては、各格子板を予め採寸された長尺材からなる連結部材に一定間隔で直接ネジ止めすることにより、あるいは固定部材を介して該連結部材に取り付けることにより固定していたため、当該格子構造体を設置する場所に応じて各種寸法の連結部材を準備する必要があり、その製造及び在庫保管のためのコストが嵩んで、結果的に当該格子構造体の値段が高価になってしまうという問題点があった。
また、特に多数の格子板を簡単な手段で正確に平行配置して連結することには困難性があった。
【発明の開示】
【発明が解決しようとする課題】
【０００３】
如上に鑑みて、本発明の技術的課題は、当該格子構造体の構成を簡単化して部品の製造及び在庫保管のためのコストを低廉化するとともに、当該格子構造体を設置する場所に応じた寸法に容易に組立て可能に構成し、また簡易な手段で多数の格子板を平行配置して連結可能とし、延いては当該格子構造体を安価に提供可能にすることにある。
【課題を解決するための手段】
【０００４】
上記課題を解決するため、本発明の格子構造体は、多数の長尺板状の格子板と、それらの各格子板を相互に一定間隔で平行状態に連結するための複数の連結部材とを備えた格子構造体であって、上記連結部材は、その軸線方向の一端からその内部に雌ネジが形成された一定長さの支柱部と、該支柱部の軸線方向の他端から延設され、少なくともその先端部の周囲に上記雌ネジに螺挿可能な雄ネジが形成された螺挿部とを備え、上記各格子板は、上記連結部材における螺挿部より大径で且つ上記支柱部より小径に形成した複数の貫通孔を備え、上記格子板における貫通孔の一端側から連結部材の螺挿部を挿通して、該螺挿部の雄ネジを上記貫通孔の他端側に突出させるとともに、突出した雄ネジに他の連結部材における支柱部の雌ネジを螺着し、これを繰り返すことにより多数の格子板を一定間隔で平行状態に連結したことを特徴とするものである。
【０００５】
本発明に係る格子構造体の好ましい実施形態においては、上記格子板が板状発泡合成樹脂部材で構成される。
また、本発明に係る格子構造体の他の好ましい実施形態においては、上記連結部材における螺挿部の先端に、当該連結部材を工具で螺着固定するための工具係止用の溝部が設けられる。
本発明に係る格子構造体の他の好ましい実施形態においては、複数の格子板の連結方向の一端の格子板が、該格子板における貫通孔の外側に位置する連結部材の雌ネジに、ボルト状エンド部材の雄ネジを螺挿することにより固定されるとともに、格子板の連結方向の他端の格子板を、該格子板における貫通孔から突出する螺挿部の雄ネジに、ナット状エンド部材を螺着することにより固定される。
【発明の効果】
【０００６】
以上に詳述した本発明に係る格子構造体によれば、当該格子構造体の構成を簡単化して部品の製造及び在庫保管のためのコストを低廉化することができるとともに、当該格子構造体を設置する場所に応じた寸法に容易に組み立てることができ、しかも、簡易な手段で多数の格子板を平行配置して連結することができ、延いては当該格子構造体を安価に提供することができる。
また、上記格子板を発泡合成樹脂部材で構成すれば、全体を軽量化できるばかりでなく、若干の締付けを可能にする弾力性により、多数の格子板を強固に連結することができる。
【発明を実施するための最良の形態】
【０００７】
以下に、本発明に係る格子構造体を実施するための最良の形態を、図面に基づいて詳細に説明するに、図１は本発明に係る格子構造体を、窓等の建物開口部の外側に設置される面格子に適用した場合の実施例を示している。
本実施例に係る格子構造体２は、図１からわかるように、概略的には、長尺の板状発泡合成樹脂部材からなる多数の格子板４と、それらの各格子板４を相互に一定間隔で平行状態に連結するための複数の連結部材６とを備えている。なお、上記格子板４は、長尺の発泡合成樹脂部材で構成したものに限定されるものではなく、無発泡の合成樹脂部材、木材、あるいはアルミニウムやステンレス等の金属材で構成することもできる。
【０００８】
より具体的に説明すると、上記連結部材６は、図２の（ａ）〜（ｃ）に明確に示すように、その軸線方向の一端からその内部に雌ネジ６ａが形成された一定長さの略円柱状の支柱部６Ａと、該支柱部６Ａの軸線方向の他端から延設され、その周囲に上記雌ネジ６ａに螺挿可能な雄ネジ６ｂが形成された螺挿部６Ｂとを備えている。また、該螺挿部６Ｂの先端には、当該連結部材６をドライバー等の工具Ｔで螺着固定するための工具係止用の溝部６ｃが設けられている。上記連結部材６は、少なくともその支柱部６Ａを格子板４と同一の素材により形成され、螺挿部６Ｂを支柱部６Ａと一体に形成することもできるが、雄ネジ６ｂを有するネジ杆を支柱部６Ａにモールドすることもでき、更に上記支柱部６Ａには該ネジ杆を螺挿するねじ孔を設けておくこともできる。なお、該連結部材６を構成する支柱部６Ａ及び螺挿部６Ｂは、必ずしも上記格子板４と同一の素材で形成する必要はなく、他の適宜の素材からなるものとして構成することができる。
一方、上記各格子板４は、上記連結部材６における螺挿部６Ｂより大径で且つ上記支柱部６Ａより小径に形成した一対の貫通孔４ａを備えている。
【０００９】
そして、図３に示すように、上記格子板４における複数の貫通孔４ａの一端側から一方の連結部材６の螺挿部６Ｂを挿通して、該螺挿部６Ｂの雄ネジ６ｂを上記貫通孔４ａの他端側に突出させるとともに、突出した雄ネジ６ｂに他方の連結部材６′における支柱部６Ａ′の雌ネジ６ａ′を螺着し、これを繰り返すことにより、多数の上記格子板４を一定間隔で平行状態に連結可能としている。このとき、上記他方の連結部材６′における螺挿部６Ｂ′の先端に設けた工具係止用の溝部６ｃ′において、ドライバー等の工具Ｔにより該連結部材６′を締め付けることにより、両連結部材６，６′間を緊締することができるとともに、両連結部材６，６′間の格子板４を強固に保持することができる。
【００１０】
なお、当該格子構造体２を、上記連結部材６による多数の格子板４の連結により、該格子構造体２が設置される場所に応じた寸法まで形成した場合には、図１及び図３に示すように、複数の上記格子板４の連結方向の一端の格子板４を、該格子板４における貫通孔４ａの外側に位置する連結部材６における支柱部６Ａの雌ネジ６ａに、ボルト状のエンド部材８の雄ネジ８ａを螺挿することにより固定するとともに、上記格子板４の連結方向の他端の格子板４を、該格子板４における貫通孔４ａから突出する連結部材６における螺挿部６Ｂの雄ネジ６ｂに、ナット状のエンド部材１０を螺着することにより固定する。
以上の極めて簡単な組立作業により、多数の格子板４を正確に平行配置して所要の大きさに形成することができ、しかも各格子板４を強固に連結することができる。
【００１１】
上記構成を有する格子構造体２は、その基本的な構成を、長尺の板状発泡合成樹脂部材からなる多数の格子板４と、それらの各格子板４を相互に一定間隔で平行状態に連結するための複数の連結部材６とからなるものとすることにより、該格子構造体２の構成を簡単化して部品の製造及び在庫保管のためのコストを低廉化することができるとともに、該格子構造体２を設置する場所に応じた寸法に容易に組み立てることができ、しかも、簡易な手段で多数の格子板４を平行配置して連結することができ、延いては格子構造体２を安価に提供することができる。
また、上記格子板４を発泡合成樹脂部材により形成しているので、全体を軽量化できるばかりでなく、若干の締付けを可能にする弾力性により、多数の格子板４を強固に連結することができる。
【００１２】
なお、上述した実施例においては、上記連結部材６における支柱部６Ａを略円柱状のものとして構成した場合について記載したが、そのように構成する場合に限定されるものではなく、図４の（ａ）〜（ｃ）に示すように、連結部材６の支柱部６Ａを、略六角形状のものとして構成することにより、他の連結部材６の雌ネジ６ａに対して螺挿部６Ｂの雄ネジ６ｂを螺挿する場合に、該支柱部６Ａ自体を六角レンチ等の工具を使用して締め付けることができる。なお、この場合、図２の連結部材のように、上記螺挿部６Ｂの先端に工具係止用の溝部を設ける必要がないのはいうまでもない。
【００１３】
ここで、上述した実施例においては、上記連結部材６の螺挿部６Ｂの全長に亘って雄ネジ６ｂが形成されている場合について図示したが、該雄ネジ６ｂは、少なくとも上記螺挿部６Ｂの先端部において、他の連結部材６における支柱部６Ａの雌ネジ６ａに螺挿して相互に緊締できる範囲で形成されていれば足りるものであり、つまり、連結部材６の螺挿部６Ｂにおいて格子板４の貫通孔４ａに内挿される部分には必ずしも設ける必要がない。
【図面の簡単な説明】
【００１４】
【図１】本発明の実施例に係る格子構造体を示す斜視図である。
【図２】（ａ）は格子構造体を構成する連結部材の正面図、（ｂ）は（ａ）の右側面図、（ｃ）は（ａ）の斜視図である。
【図３】本発明の実施例に係る格子構造体の連結態様を説明する斜視図である。
【図４】（ａ）は格子構造体を構成する連結部材の他の構成態様を示す正面図、（ｂ）は（ａ）の右側面図、（ｃ）は（ａ）の斜視図である。
【符号の説明】
【００１５】
２    格子構造体
４    格子板
４ａ  貫通孔
６，６′    連結部材
６Ａ，６Ａ′  支柱部
６Ｂ，６Ｂ′  螺挿部
６ａ，６ａ′  雌ネジ
６ｂ  雄ネジ
６ｃ，６ｃ′  溝部
８    ボルト状エンド部材
１０    ナット状エンド部材
【図１】
2008175001.tif 000003
【図２】
2008175001.tif 000004
【図３】
2008175001.tif 000005
【図４】
2008175001.tif 000006